(57)【要約】【課題】フォルダー内に他のフォルダーが収納されることのないフォルダーを提供する。収納器に納められたフォルダーから収納物の抜き差しができないフォルダーを提供する。さらに、見出し部を挟持してフォルダーを持った際に収納物の脱落がおきにくいフォルダーを提供する。【解決手段】下地２に見出し部４が突設されており、見出し部４が設けられた側（２−１，３−５）における上地３及び下地２は全域に渡って綴じられており、見出し部４が設けられた側と対向する側（２−４，３−８）における上地３及び下地２は全域に渡って綴じられている。【選択図】図１
2008296531.tif 000002
【特許請求の範囲】
【請求項１】
上地と下地で収納部が構成されたフォルダーであって、
上地若しくは下地には見出し部が突設されており、
見出し部が設けられた側における上地及び下地の内短い辺は、全域に渡って他方の地と綴じられており、
見出し部が設けられた側と対向する側における上地及び下地の短い辺は、全域に渡って他方の地と綴じられている、フォルダー。
【請求項２】
見出し部が設けられた側とこれと対向する側を結ぶ側（底部）の一部若しくは全域に渡って上地が下地に綴じられている、請求項１に記載のフォルダー。
【請求項３】
請求項１又は２に記載のフォルダーであって、
前記フォルダーは、上地の上にポケットを構成するためのポケット地が配置され、
ポケット地は、少なくとも見出し部側及びこれと対向する側が、全域に渡って上地と綴じられている、フォルダー。
【請求項４】
請求項２に記載のフォルダーであって、
前記フォルダーは、上地の上にポケットを構成するためのポケット地が配置され、
ポケット地は、見出し部側、これと対向する側及び底部側が、全域に渡って上地と綴じられている、フォルダー。
【請求項５】
見出し部は、見出し部が設けられる辺における中点を基準として底部とは反対側に設けられている、請求項２又は４に記載のフォルダー。
【発明の詳細な説明】
【技術分野】
【０００１】
本発明は、棚やボックスなどの収納器に複数納められて用いられるフォルダーに関する。
【背景技術】
【０００２】
上記のようなフォルダーとしては、取っ手としての見出し部が上側に突設した下地と、下地の下側において折り曲げられるなどして接続された上地とで構成されたものがある（第１の従来技術；例えば非特許文献１を参照。）。フォルダーは、上地と下地とで形成される収納部に書類等の収納物が収納される。一般に、一つのフォルダーには一つの分類の収納物が一又は複数収納され、フォルダーが異なると収納物の分類が異なる。そして、フォルダーボックスや整理棚などの収納器に複数収納されて配置される。
このようなフォルダーには従来、以下のような問題が指摘されていた。
【０００３】
（１）フォルダー内に他のフォルダーが収納されてしまう問題
このようなフォルダーが収納器に収納される場合、見出し部が手前側（上側）になるようにされる。一方、上記したような従来のフォルダーは、手前側（見出し部が突設されている側）が開口部となり、書類等の出し入れが行われる。
【０００４】
したがって、ファイルを収納器に納める際、他のフォルダー内に納めてしまうことがあった。これでは、フォルダーによって収納物を仕分ける、というフォルダー本来の役割を果たしきれていないこととなる。また、他のフォルダーが納められてしまったフォルダーでは、収納物としての書類等が折り曲げられてしまったり、場合によっては切れてしまったりするなど、収納物が破損してしまうという問題もあった。
【０００５】
一方、見出し部が設けられた側の上地と下地の一部を綴じてしまう（接続してしまう）従来技術もある（第２の従来技術；例えば非特許文献２を参照。）。しかし、第２の従来技術は、見出しが存する辺の一端と直交する辺の全てにおいて上地と下地が綴じられ、この辺の端と直交する２つの辺は、端側の一部において上地と下地とが綴じられているにすぎないため、見出し部が突設されている側から他のフォルダーを収納できてしまうため、上記問題を解決できていない。
【０００６】
（２）収納器に納められたフォルダーから収納物の抜き差しができてしまう問題
第１の従来技術や第２の従来技術によるフォルダーは、収納器に収納された状態で、収納物を検索したり、抜き差ししたりすることが可能である。したがって、収納物の一部は全部が欠けた状態のフォルダーが収納器に納められてしまう可能性がある。このように収納物が抜き出された後に、抜き出した者以外の利用者が当該フォルダーを利用しようとする場合、収納物が欠けていることを知り得ない。すなわち、この利用者は、この状態において当該フォルダー内に収納されている収納物が、当該フォルダーに分類されている全ての収納物であると考え、作業を行ってしまう。
【０００７】
この問題を解決するために、収納物とフォルダーにそれぞれ２つの穴をあけ、この穴を用いて収納物とフォルダーとを綴じ具で綴じてしまう従来技術もある。しかし、収納器に収納された状態においては、利用者は、収納物とフォルダーとが綴じられているか把握できないため、前記同様に収納物をフォルダーから無理矢理取り出そうとしてしまうことがある。この場合、上記穴が壊されてしまい、再度フォルダーに収納する場合には、収納物をテープなどで修理し、再度穴をあけるなどする必要がある。
また、上記従来技術では、収納物に穴をあけなければならないという問題もある。
【０００８】
また、フォルダーの上地、下地、見出し部は、一般に紙やポリプロピレンなどの薄い材料で構成されているため、収納器に収納された状態において、当該フォルダーに収納された収納物と他のフォルダーに収納された収納物との境が明確ではない。したがって、フォルダー収納器に納められた状態のフォルダーに収納物を追加する場合、目的のフォルダーではなく、他のフォルダー（隣接するフォルダー）にその収納物を追加してしまう場合もある。これでは、フォルダーの本旨が果たされない。
【０００９】
第２の従来技術によるフォルダーでは、収納器に納められた状態のフォルダーから収納物を取り出す際、取り出し側（見出し部が設けられている側）の上地と下地の一部が綴じられているため、この綴じられている部分に収納物が引っかかり、収納物が折れ曲がってしまったり、切れてしまったりするという問題もある。また、この状態のフォルダーに収納物を入れようとする場合にも同様の問題が発生してしまうことがある。
【００１０】
一方で、以上のようにフォルダー内に他のフォルダーが収納されていたり、上地や下地は通常紙などで構成されているためにフォルダー同士の境界が収納時には分かりにくいという問題がある。したがって、収納物を検索して必要な物のみを抜き出してしまうことが可能となる。また、誤って他のフォルダー（非所定のフォルダー）に収納してしまうこともあり得る。これでは、フォルダーによって収納物を確実に仕分けるということができないことになってしまう。
【００１１】
（３）見出し部を挟持してフォルダーを持つと収納物がフォルダーから脱落してしまう問題
以上のようなフォルダーは、見出し部が挟持されて収納器から出し入れされたりするが、見出し部を持っただけでは、収納物が脱落してしまうことがある。第１の従来技術によるフォルダーの場合、見出し部を持っただけでは上地が開いてしまい収納物が脱落してしまったり、サイド（見出し部を上側とした場合の横方向）から収納物が脱落してしまったりすることがある。第２の従来技術によるフォルダーでも同様の問題が生じる。
【００１２】
この問題を解決する一つの手段として、前記した収納物とフォルダーとを綴じ具で綴じて一体化してしまうという従来技術も利用できるが、上記したような問題が生じる。
【００１３】
また、フォルダーにさらに別の収納部（ポケット）を設けた場合に、（１）〜（３）の問題を如何に解決するかについては第１の従来技術も第２の従来技術も答えていない。例えば、多数のフォルダーが収納された収納器にフォルダーを入れる際、収納されているフォルダーのポケットに入り込んでしまい、フォルダーが収納できなくなったり、ポケットを破損してしまったり、ポケット内に収納されている収納物を傷つけてしまったりするなどの問題の解決策は提示されていない。
【非特許文献１】”1/2カットフォルダーカラー第2見出し部 A4緑”取扱説明書ファイルコクヨ株式会社、［２００７年５月２８日検索］、インターネット＜ＵＲＬ：https://www.kokuyo.co.jp/find/catalog/1_detail.php?c1=1112&c2=13&c3=10&sid=526＞
【非特許文献２】”オープン持ち出しフォルダー311x240”、［online］、コクヨ株式会社、［２００７年５月２８日検索］、インターネット＜ＵＲＬ：https://www.kokuyo.co.jp/find/catalog/1_detail.php?c1=1112&c2=13&c3=10&sid=56＞
【発明の開示】
【発明が解決しようとする課題】
【００１４】
本発明は、上記問題を解決するためになされたものであり、フォルダー内に他のフォルダーが収納されることのないフォルダーを提供することを第１の課題とする。
また、収納器に納められたフォルダーから収納物の抜き差しができないフォルダーを提供することを第２の課題とする。
さらに、見出し部を挟持してフォルダーを持った際に収納物の脱落がおきにくいフォルダーを提供することを第３の課題とする。
【課題を解決するための手段】
【００１５】
上記課題を解決するために、本発明に係るフォルダーは下記構成要件を具備する。
（１）上地と下地で構成されている。
（２）上地若しくは下地には見出し部が突設されている。
（３）見出し部が設けられた側における、上地及び下地の長さが短い辺は、全域に渡って他方の地と綴じられている。
（４）見出し部が設けられた側と対向する側における、上地及び下地の長さが短い辺は、全域に渡って他方の地と綴じられている。
【００１６】
このフォルダーは、好適には、見出し部が設けられた側とこれと対向する側を結ぶ側（底部）の全域に渡って上地と下地とが綴じられている。または、底部側の上地の辺若しくは下地の辺の一部が他方の地に綴じられている。
【００１７】
以上のフォルダーによれば、見出し部が設けられた辺を上側とした際、いわゆるサイド方向（横方向）からのみ書類やＣＤ（コンパクトディスク）等の収納物の出し入れを行うことが可能となる。したがって、フォルダーボックス等の収納器にフォルダーを収納する際、他のフォルダー内に入れてしまうということがなくなる。フォルダーを収納器に収納する場合、見出し部をインデックスとして利用したり、持ち手として利用するために、見出し部側（ここでは便宜上「上側」と表現する。）を表側（上側）にして収納するが、このフォルダーの上側には開口部が存在しないため、「フォルダーが他のフォルダー内に入ってしまう」ということが起こりえないからである。
【００１８】
また、複数のフォルダーが収納器に収納された状態において、収納物を上側から検索したり、抜き差ししたりすることを防止できる。当然、フォルダーが収納器に納められた状態において、収納物が脱落してしまうという可能性も極めて低くすることができる。見出し部側が綴じられているからである。
【００１９】
収納物の出し入れは、必ず収納器からフォルダーを取り出した状態で行わせることとなるため、フォルダーと収納物との対応関係をより確実なものとし、フォルダーを用いた整理をより完全なものにすることが可能となる。
【００２０】
なお、本明細書において「綴じる」とは、熱融着などにより上地と下地とを接着することだけでなく、一枚のシートを折り返して上地と下地にした場合における上地と下地が接続している状態も指す。
「辺」とは、直線部と曲線部とで構成されるような辺も指す概念である。
「全域」とは、完全な「全域」だけを含む概念ではなく、例えば上地と下地との間にマチを設けるために「辺」の両端の一部において上地と下地とが綴じられていないような実質的に「全域」綴じられている構成も含む。
例えば、「見出し部側の辺が綴じられている」という構成には、幾何学的に厳密な「辺」が綴じられている構成だけでなく、実質的に「辺」と言い得る、幾何学的に厳密な辺よりも内側が綴じられている構成も当然含む。
【００２１】
上地上にポケットを設ける場合には、少なくとも見出し部側とこれに対向する側を上地と綴じれば、フォルダー収納器にフォルダーを収納する際、他のフォルダーのポケットの開口部内に収まってしまうということを防止できる。なお、好適には底部側も綴じられる。
【００２２】
底部側を綴じる場合、見出し部は、底部とは反対側、すなわち見出し部が設けられている辺における中点を基準として底部とは反対側に設けられる。このように構成すれば、見出し部のいずれの箇所を挟持された場合であっても、底部側は収納部やポケットの開口部よりも重力方向下側になるため、収納物の脱落を防止できるからである。なお、見出し部が設けられる辺が直線でない場合は、見出し部が設けられた側の端同士を結んだ線を基準にすればよい。
【発明の効果】
【００２３】
上記説明からも明らかなように、本発明に係るフォルダーは、フォルダーボックス等の収納器に複数のフォルダーを収納する場合であっても、他のフォルダー内に誤って収まってしまうという可能性をなくしたり、極めて低くしたりすることができる。
また、収納器に納められた状態において、収納物の確認や抜き差しを行うことを防止することが可能となる。
さらに、見出し部のみを挟持した状態においても収納物の脱落を防止することが可能となる。
【発明を実施するための最良の形態】
【００２４】
以下、本発明の実施の形態に係るフォルダーを、図面を参照しながら詳細に説明する。
【実施例１】
【００２５】
図１は、本発明の実施の形態に係る第１のフォルダー１Ａを示した正面図である。図１に示すように、フォルダー１Ａは、下地２と上地３と見出し部４とで構成されている。
下地２は、略矩形のポリプロピレン製のシートであり、第１の辺２−１、第２の辺２−２、第３の辺２−３、第４の辺２−４を備える。第１の辺２−１における中点を基準にして第２の辺２−２側からは見出し部４が一体整形により突設されている。
上地３は、略矩形のポリプロピレン製のシートであり、下地２とほぼ同じ大きさである。上地３には、第１の辺２−１上に配置される第５の辺３−５と、第２の辺２−２上に配置される第６の辺３−６と、第３の辺２−３上に配置される第７の辺３−７と、第４の辺２−４上に配置される第８の辺３−８とを備える。
【００２６】
下地２と上地３の対応する辺の内、見出し部４が設けられた側の辺と、当該辺に対向する辺、両辺の一端同士を結ぶ辺の三辺は全域に渡って熱融着されて綴じられている。具体的には、第１の辺２−１と第５の辺３−５、第３の辺２−３と第７の辺３−７、第４の辺２−４と第８の辺３−８は、全域に渡って熱融着され綴じられ、収納空間（収納部）５を構成している。第２の辺２−２と第６の辺３−６は綴じられておらず、収納部５へは第２の辺２−２と第６の辺３−６とで構成される開口部６から出し入れされる。
第２の辺２−２、第６の辺３−６のように綴じられない辺は、見出し部４が設けられた辺と接続する辺であって、見出し部４が設けられている側の辺（見出し部４が設けられている辺の中点を基準として見出し部４側に存する辺）が選択される。
【００２７】
フォルダー１Ａは、以上の構成を備えているため、見出し部４側の辺から収納物の出し入れを行ったり、収納物の検索を行ったりすることができない。通常、フォルダー１Ａは、見出し部４側を手前側にしてフォルダー収納用の什器やボックスなどのフォルダー収納器に納められるため、フォルダー収納器に納められた状態において収納物が手前側に露出しないこととなる。したがって、フォルダー収納器に納められた状態において、収納物の出し入れや検索が行われることを防止できる。また、フォルダー１Ａへの収納物の出し入れ、検索は、フォルダー１Ａをフォルダー収納器から取り出した状態で、他のフォルダーから離れた状態で行われることとなるため、収納物を所望のフォルダーに確実に収納・分類することが可能となる。
【００２８】
収納器に納められた状態において手前側に配置される側（辺２−１、辺３−５側）が全域に渡って綴じられているため、収納器に収納された状態において収納物がフォルダーから脱落してしまうことも防止できる。
【００２９】
フォルダー１Ａは、他のフォルダー１Ａが納められている収納器に納められる際、当該他のフォルダー１Ａ内に納められてしまうことがない。フォルダー１Ａは、収納器に納められた状態において手前側に配置される見出し部側（辺２−１、辺３−５側）が全域に渡り綴じられているため、収納器に納められた状態において手前側から収納部５への収納を規制されているからである。そのため、フォルダー１Ａを収納器における所望の位置に、他のフォルダー１Ａと独立した位置に、確実に配置することができる。
また、他のフォルダー１Ａが収納されてしまう際に、収納物が折り曲げられてしまったり傷つけられてしまったりするといったことも起こらないため、収納物の保護がより確実となる。
【００３０】
見出し部４は、見出し部が突設される辺２−１、３−５において、開口部６側（開口部６と対向する型（底部）である辺２−３側とは反対側）に好適に設けられている。この位置に見出し部４が設けられると、見出し部４のいずれの位置が挟持された場合であっても底部は開口部よりも重力方向下側に配置される。これにより、収納物を重力方向下方向にガイドすることになる辺２−４、辺３−８（見出し部が設けられた側に対向する側）が開口部６に対して上り方向に傾く。したがって、収納物は底部側へ案内され、開口部６から脱落することが防止される。
【００３１】
上記フォルダー１Ａは、適宜変更した構成にすることができる。
例えば、一枚の紙などを辺２−４（辺３−８）で折り曲げて下地２と上地３とを構成するということもできる。このように、下地２と上地３の辺同士を、熱融着以外の方法で綴じることもできる。
また、見出し部４を下地２と一体整形せず、別体で作成した部品同士を接着するなどしてもよい。なお、見出し部４と下地２とが一体整形される場合、下地２と見出し部４との境界も見出し側の辺２−１の一部とする。
【００３２】
見出し部４は、上地３に突設されていてもよい。この場合であっても、前記した趣旨の通りに設計すれば、前記した作用を奏する。
【００３３】
図２に示すように辺２−２を非直線としたり、図３に示すように辺３−６を非直線としたり、図４に示すように辺２−２と辺３−６それぞれを非直線としたりしてもよい。このような構成であっても前記した作用を奏するからである。また、これらの少なくとも一方の辺の一部を内側（辺２−３、辺３−７側）に凹んだ形状にすれば、収納物の出し入れを容易にすることができる。
その他の辺を非直線にすることも当然にできる。
下地２、上地３の角が丸めるなどしてもよい。
【００３４】
上地と下地との間にマチを設けて綴じる場合などには、上地と下地の各辺は厳密に「全域」に渡って綴じる必要はない。すなわち、両端の一部を綴じないように構成することもできる。同様に、前記した作用を損なわない範囲で、各辺（各側）の一部を綴じないように構成することもできる。
【００３５】
底部（辺２−３と辺３−７）を開放した（綴じない）構成にしてもよい。この場合、収納物の保持能力は落ちるが、他のフォルダーとの収納物を区分けする作用や、収納器に納められた状態において他のフォルダーが収納されないといった作用は奏する。
次に、本実施の形態に係る第２のフォルダー１Ｂを、図５を参照しながら説明する。
【実施例２】
【００３６】
図５においてはフォルダー１Ａと同等の構成要素については同一の符号を付し、以下では詳細な説明を省略する。
図５に示すように、第５の辺３−５は第１の辺２−１よりも短い。また、第６の辺３−６は、直線部と曲線部とで構成されており、対応する第２の辺２−２とは形状が異なる。
【００３７】
しかしながら、見出し部が存する側（辺２−１、辺３−５側）は短い辺の全域が他方の地と綴じられており、これと対向する側（辺２−４、辺３−８側）も全域が他方の地と綴じられている。このため、上地３が下地２を基準にして「開く」ということがない。したがって、フォルダー収納器に納められている際に、内部に他のフォルダーが収納されてしまうということを防止できるなど、フォルダー１Ａと同等の作用を奏する。例えば、上地３が下地２を基準にして「開かない」ため、第２の従来技術のように収納器に収納されている場合に見出し部側が大きく開口してしまい、他のフォルダーが納められてしまうという可能性を極めて低いものにすることができる。
【００３８】
言い換えれば、見出し部４が設けられた側における上地２及び下地３の内で長さが短い辺を全域に渡って他の地と綴じ、見出し部４が設けられた側と対向する側も同様に綴じれば、前記した作用・効果を奏する。
なお、見出し部が挟持されて取り扱われる際の収納物の保持能力を高くするために、見出し部と対向する側の上地と下地の辺の長さ（辺２−４と辺３−８の長さ）は好適には略同一とされる。また、開口部６と対向する側（底部：辺２−３、辺３−７）は綴じられる。
次に、図６を参照しながら本実施の形態に係る第３のフォルダー１Ｃについて説明する。
【実施例３】
【００３９】
第３のフォルダー１Ｃは、上地１Ｂ上にポケット地７が配置され、ポケット８が形成されている。ポケット８は、見出し部４が設けられた側の第８の辺７−８、これと対向する側の第１２の辺７−１２、底部側の第１１の辺７−１１がそれぞれ上地３と熱融着されて綴じられている。したがって、開口部６側の第１０の辺７−１０と上地３とにより構成されたポケット開口部９から収納物の出し入れが行われる。
【００４０】
ポケット開口部９は、一部がポケット８内部へ折り返された弁１０とされている。弁１０は、ポケット８の収納物の外部への脱落を防止する。
【００４１】
ポケット地７は、見出し部側並びにこれに対向する側が上地３と綴じられている。したがって、収納器に収納された状態において他のフォルダーが収納される際、他のフォルダーがポケット８内に入ってしまうことがない。その結果、ポケット８内の収納物が折り曲げられたりしてしまうことも防止されている。
【００４２】
ポケット８は、見出し部４が設けられた辺２−１の中点を基準として見出し部４が設けられた側とは反対側が綴じられ、見出し部４側から収納物の出し入れを行えるようにされているため、前記同様に、見出し部４が挟持されて取り扱われる際に収納物が脱落してしまうことが防止されている。
【００４３】
本発明は、上記実施形態に拘泥して解釈されるものではない。上記実施形態には、例えば以下の技術的思想も含まれ、これらの技術的思想は、当然、本発明に含まれるものである。
【００４４】
（１）第１の辺と、第１の辺の一端において略直交する第３の辺と、第３の辺における第１の辺と接する端とは反対側の端において略直交する第４の辺と、第１の辺における第３の辺と接していない端と第４の辺における第３の辺と接していない端とを接続する第２の辺とで構成された下地と、
下地における第１の辺から突設された見出し部と、
下地に一部が接続し、下地と共に収納部を形成する上地と、を備え、
上地は、第１の辺上に設けられ当該辺と略同じ長さである第５の辺と、一端が第５の辺と接続し第３の辺上に設けられ当該辺と略同じ長さである第７の辺と、第７の辺における第５の辺に接していない端と接続し第４の辺上に設けられ当該辺と略同じ長さである第８の辺と、第５の辺における第７の辺と接続していない端と第８の辺における第７の辺と接続していない端とを結ぶ第６の辺と、を有し、
第５の辺は第１の辺と、第７の辺は第３の辺と、第８の辺は第４の辺とそれぞれ全域に渡って綴じられている、フォルダー。
【００４５】
以上のフォルダーによれば、見出し部が設けられた辺を上側とした際、いわゆるサイド方向（横方向）からのみ書類やＣＤ（コンパクトディスク）等の収納物の出し入れを行うことが可能となる。したがって、フォルダーボックス等の収納器にフォルダーを収納する際、他のフォルダー内に入れてしまうということがなくなる。フォルダーを収納器に収納する場合、見出し部をインデックスとして利用したり、持ち手として利用するために、見出し部側（ここでは便宜上「上側」と表現する。）を表側（上側）にして収納するが、このフォルダーの上側には開口部が存在しないため、「フォルダーが他のフォルダー内に入ってしまう」ということが起こりえない。
【００４６】
また、複数のフォルダーが収納器に収納された状態において、収納物を上側から検索したり、抜き差ししたりすることを防止できる。当然、フォルダーが収納器に納められた状態において、収納物が脱落してしまうという可能性も極めて低くすることができる。上側が綴じられているからである。
したがって、収納物の入れ替え等は、必ず収納器からフォルダーを取り出した状態で行わうことになるため、フォルダーと収納物との対応関係をより確実なものとし、フォルダーを用いた整理をより完全なものにすることが可能となる。
以下の構成も、上記構成と同等の作用を奏する。
【００４７】
（２）第１の辺と、第１の辺の一端において略直交する第３の辺と、第３の辺における第１の辺と接する端とは反対側の端において略直交する第４の辺と、第１の辺における第３の辺と接していない端と第４の辺における第３の辺と接していない端とを接続する第２の辺とで構成された下地と、
下地における第１の辺から突設された見出し部と、
下地に一部が接続し、下地と共に収納部を形成する上地と、を備え、
上地は、第１の辺上に設けられ当該辺よりも短い第５の辺と、一端が第５の辺と接続し第３の辺上に設けられ当該辺と略同じ長さである第７の辺と、第７の辺における第５の辺に接していない端と接続し第４の辺上に設けられ当該辺と略同じ長さである第８の辺と、第５の辺における第７の辺と接続していない端と第８の辺における第７の辺と接続していない端とを結ぶ第６の辺と、を有し、
第５の辺は第１の辺と、第７の辺は第３の辺と、第８の辺は第４の辺とそれぞれ全域に渡って綴じられている、フォルダー。
【００４８】
（３）第１の辺と、第１の辺の一端において略直交する第３の辺と、第３の辺における第１の辺と接する端とは反対側の端において略直交する第４の辺と、第１の辺における第３の辺と接していない端と第４の辺における第３の辺と接していない端とを接続する第２の辺とで構成された下地と、
下地における第１の辺から突設された見出し部と、
下地に一部が接続し、下地と共に収納部を形成する上地と、を備え、
上地は、第１の辺上に設けられ当該辺と略同じ長さである第５の辺と、一端が第５の辺と接続し第３の辺上に設けられ当該辺と略同じ長さである第７の辺と、第７の辺における第５の辺に接していない端と接続し第４の辺上に設けられ当該辺よりも短い第８の辺と、第５の辺における第７の辺と接続していない端と第８の辺における第７の辺と接続していない端とを結ぶ第６の辺と、を有し、
第５の辺は第１の辺と、第７の辺は第３の辺と、第８の辺は第４の辺とそれぞれ全域に渡って綴じられている、フォルダー。
【００４９】
（４）第１の辺と、第１の辺の一端において略直交する第３の辺と、第３の辺における第１の辺と接する端とは反対側の端において略直交する第４の辺と、第１の辺における第３の辺と接していない端と第４の辺における第３の辺と接していない端とを接続する第２の辺とで構成された下地と、
下地における第１の辺から突設された見出し部と、
下地に一部が接続し、下地と共に収納部を形成する上地と、を備え、
上地は、第１の辺上に設けられ当該辺より短い第５の辺と、一端が第５の辺と接続し第３の辺上に設けられ当該辺と略同じ長さである第７の辺と、第７の辺における第５の辺に接していない端と接続し第４の辺上に設けられ当該辺より短い第８の辺と、第５の辺における第７の辺と接続していない端と第８の辺における第７の辺と接続していない端とを結ぶ第６の辺と、を有し、
第５の辺は第１の辺と、第７の辺は第３の辺と、第８の辺は第４の辺とそれぞれ全域に渡って綴じられている、フォルダー。
【００５０】
（５）第１の辺と、第１の辺の一端において略直交する第３の辺と、第３の辺における第１の辺と接する端とは反対側の端において略直交する第４の辺と、第１の辺における第３の辺と接していない端と第４の辺における第３の辺と接していない端とを接続する第２の辺とで構成された下地と、
下地における第１の辺から突設された見出し部と、
下地に一部が接続し、下地と共に収納部を形成する上地と、を備え、
上地は、第１の辺上に設けられ当該辺より長い第５の辺と、一端が第５の辺と接続し第３の辺上に設けられ当該辺と略同じ長さである第７の辺と、第７の辺における第５の辺に接していない端と接続し第４の辺上に設けられ当該辺と略同じ長さである第８の辺と、第５の辺における第７の辺と接続していない端と第８の辺における第７の辺と接続していない端とを結ぶ第６の辺と、を有し、
第１の辺は第５の辺と、第７の辺は第３の辺と、第８の辺は第４の辺とそれぞれ全域に渡って綴じられている、フォルダー。
【００５１】
（６）第１の辺と、第１の辺の一端において略直交する第３の辺と、第３の辺における第１の辺と接する端とは反対側の端において略直交する第４の辺と、第１の辺における第３の辺と接していない端と第４の辺における第３の辺と接していない端とを接続する第２の辺とで構成された下地と、
下地における第１の辺から突設された見出し部と、
下地に一部が接続し、下地と共に収納部を形成する上地と、を備え、
上地は、第１の辺上に設けられ当該辺と略同じ長さである第５の辺と、一端が第５の辺と接続し第３の辺上に設けられ当該辺と略同じ長さである第７の辺と、第７の辺における第５の辺に接していない端と接続し第４の辺上に設けられ当該辺より長い第８の辺と、第５の辺における第７の辺と接続していない端と第８の辺における第７の辺と接続していない端とを結ぶ第６の辺と、を有し、
第５の辺は第１の辺と、第７の辺は第３の辺と、第４の辺は第８の辺とそれぞれ全域に渡って綴じられている、フォルダー。
【００５２】
（７）第１の辺と、第１の辺の一端において略直交する第３の辺と、第３の辺における第１の辺と接する端とは反対側の端において略直交する第４の辺と、第１の辺における第３の辺と接していない端と第４の辺における第３の辺と接していない端とを接続する第２の辺とで構成された下地と、
下地における第１の辺から突設された見出し部と、
下地に一部が接続し、下地と共に収納部を形成する上地と、を備え、
上地は、第１の辺上に設けられ当該辺より長い第５の辺と、一端が第５の辺と接続し第３の辺上に設けられ当該辺と略同じ長さである第７の辺と、第７の辺における第５の辺に接していない端と接続し第４の辺上に設けられ当該辺より長い第８の辺と、第５の辺における第７の辺と接続していない端と第８の辺における第７の辺と接続していない端とを結ぶ第６の辺と、を有し、
第１の辺は第５の辺と、第７の辺は第３の辺と、第４の辺は第８の辺とそれぞれ全域に渡って綴じられている、フォルダー。
【００５３】
（２）〜（７）の構成を採用しても、見出し部が設けられる側、いわゆる上側（第１の辺側＝第５の辺側）の一部が「綴じられている」おり、かつ、下側（第４の辺側＝第８の辺側）も綴じられているため、下地を基準として上地が「開いた」状態にならない。そのため、収納器に収納された状態において、他のフォルダー内が納められてしまうということを極めて有効に防止できる。したがって、フォルダーは、収納器にそれぞれ別個の所定位置に収まることとなる。
【００５４】
（８）（１）乃至（７）のいずれか一項に記載のフォルダーであって、
前記フォルダーは、さらに、上地の上にポケットを構成するためのポケット地が貼り合わされており、
ポケット地の開口部は第６の辺が延在する側に設けられている、フォルダー。
【００５５】
（９）（１）乃至（７）のいずれか一項に記載のフォルダーであって、
前記フォルダーは、さらに、上地の上にポケットを構成するためのポケット地が貼り合わされており、
前記ポケット地は、
第１の辺と略並行な第９の辺、第１２の辺と、第９の辺における第２の辺側の端と第１２の辺における第２の辺側の端とを接続する第１０の辺と、第９の辺における第３の辺側の端と第１１の辺における第３の辺側の端とを接続する第１１の辺と、を備え、
第９の辺、第１１の辺、第１２の辺はそれぞれ上地と綴じられている、フォルダー。
【００５６】
このように上地上にさらにポケットを設けることができる。例えば、上地と下地とで構成される収納部には書類等の大きめな収納物を収納し、上地とポケット地で構成されるポケットにはＣＤ（コンパクトディスク）やＤＶＤ、保証書等の小物を収納するようにすれば、収納性が極めて高くなる。このようにポケットを設ける際には、収納物を出し入れするための開口部を第４の辺側（第８の辺側）に設けると、収納器にフォルダーを収納する際、他のフォルダーのポケットの開口部に入ってしまうということがなくなる。したがって、フォルダーを収納器に並べることが極めて容易となる。
【００５７】
（１０）（１）乃至（９）のいずれか一項に記載のフォルダーであって、
第２の辺及び第６の辺の少なくとも一辺は、直線部と曲線部とで構成された、フォルダー。
【００５８】
（１１）（１）乃至（１０）のいずれか一項に記載のフォルダーであって、
見出し部は、第１の辺における中点を基準として第２の辺側に設けられている、フォルダー。
見出し部がこの位置に設ければ、見出し部のいずれの位置を挟持しても、開口部が重力方向上向きとなる。したがって、収納部に収納された物も、ポケットを設けた場合にはこれに収納された物も、フォルダーの出し入れを行う際に脱落してしまう可能性を少なくすることができる。
なお、収納物の脱落の危険性をより少なくするために、収納部やポケットの開口部に弁（蓋）が好適に設けられる。例えば、開口部における上地若しくは下地を内側に折り込んだ逆止弁を形成してもよい。
【００５９】
（１２）（１）乃至（１０）のいずれか一項に記載のフォルダーであって、
見出し部は、下地の第１の辺の代わりに、上地の第５の辺上に設けられている、フォルダー。
この場合であっても、上地と下地との関係、さらには上地とポケット地との関係は上記した関係になるように構成すれば、フォルダーボックス等の収納器に複数のフォルダーを収納する場合に、他のフォルダー内に誤って収まってしまうということがなくなる。
【００６０】
（１３）（１２）に記載のフォルダーであって、
見出し部は、第５の辺における中点を基準として第６の辺側に設けられている、フォルダー。
【図面の簡単な説明】
【００６１】
【図１】本実施の形態に係るフォルダー１Ａの構成を説明するための斜視図である。
【図２】本実施の形態に係るフォルダー１Ａの他の構成を説明するための斜視図である。
【図３】本実施の形態に係るフォルダー１Ａの他の構成を説明するための斜視図である。
【図４】本実施の形態に係るフォルダー１Ａの他の構成を説明するための斜視図である。
【図５】本実施の形態に係るフォルダー１Ｂの構成を説明するための斜視図である。
【図６】本実施の形態に係るフォルダー１Ｃの構成を説明するための正面図である。
【符号の説明】
【００６２】
１：フォルダー
２：下地
３：上地
４：見出し部
５：収納部
６：開口部
７：ポケット地
８：ポケット
９：ポケット開口部
１０：弁
【図１】
2008296531.tif 000003
【図２】
2008296531.tif 000004
【図３】
2008296531.tif 000005
【図４】
2008296531.tif 000006
【図５】
2008296531.tif 000007
【図６】
2008296531.tif 000008